(57)【要約】【課題】携帯端末の文字入力の操作性を向上させる。【解決手段】本発明に係る携帯端末の文字入力装置１００は、携帯端末１００の背面又は側面においてユーザの人指し指又は中指が当接する範囲に配置された第１入力部１１と、携帯端末１００の正面においてユーザの親指が当接する範囲に配置された第２入力部１２を備えている。第１入力部１１及び第２入力部１２のうち一方は、複数の文字群から一つの文字群を選択する文字群の選択に用いられ、第１入力部１１及び第２入力部１２のうち他方は、文字群の選択によって選択された一つの文字群から一つの文字を選択する文字の選択に用いられる。【選択図】図１
2010170383.tif 000002
【特許請求の範囲】
【請求項１】
携帯端末を片手で把持した際に、前記携帯端末の背面又は側面においてユーザの人指し指又は中指が当接する範囲に配置された第１入力部と、
前記携帯端末を前記片手で把持した際に、前記携帯端末の正面においてユーザの親指が当接する範囲に配置された第２入力部と、を備え、
前記第１入力部及び前記第２入力部のうち一方は、複数の文字群から一つの文字群を選択する文字群の選択に用いられ、前記第１入力部及び前記第２入力部のうち他方は、前記文字群の選択によって選択された前記一つの文字群に含まれる複数の文字から一つの文字を選択する文字の選択に用いられる、文字入力装置。
【請求項２】
前記第２入力部は、ユーザの親指の接触位置、及び前記接触位置の変位方向及び変位量を検出することで前記親指の操作を受け付ける
請求項１に記載の文字入力装置。
【請求項３】
前記第１入力部は、ユーザの前記人指し指又は前記中指の上下方向の操作を受け付ける
請求項１又は２に記載の文字入力装置。
【請求項４】
前記第１入力部は、ジョグダイヤル、シーソースイッチ、静電パッド、ロータリースイッチ、又はニューロポインタである
請求項３に記載の文字入力装置。
【請求項５】
前記携帯端末の表示部には、前記第１入力部又は前記第２入力部によって選択された前記一つの文字群に含まれる文字が一方向に表示され、
前記第２入力部は、前記一方向に延設されると共に、前記表示部に表示された文字に対応する位置において接触位置を検出する感度を有する
請求項１乃至４のうちいずれか１項に記載の文字入力装置。
【請求項６】
前記文字群は、日本語のひらがな及びカタカナの５０音表の行、並びに５つ毎に分けられた英字アルファベット、記号及び数字である
請求項１乃至５のうちいずれか１項に記載の文字入力装置。
【請求項７】
前記文字群の選択は、前記第１入力部及び前記第２入力部を交互に操作することで階層的に行われる
請求項１乃至６のうちいずれか１項に記載の文字入力装置。
【請求項８】
前記第２入力部は、ひらがな、カタカナ、英字アルファベット、又は記号を含む複数の文字グループから一つの文字グループを選択する文字グループの選択に用いられ、
前記第１入力部は、前記第２入力部によって選択された前記一つの文字グループに含まれる複数の前記文字群から前記一つの文字群を選択する前記文字群の選択に用いられ、
前記第２入力部は、前記第１入力部によって選択された前記一つの文字群に含まれる複数の文字から一つの文字を選択する前記文字の選択に用いられる
請求項１乃至７のうちいずれか１項に記載の文字入力装置。
【請求項９】
請求項１乃至８にうちいずれか１項に記載の文字入力装置を含む携帯端末。
【発明の詳細な説明】
【技術分野】
【０００１】
本発明は、文字入力装置及びこれを備えた携帯端末に関する。
【背景技術】
【０００２】
現在市販されている携帯電話等の携帯端末は、文字入力のためのキーが携帯端末の本体正面側に配列されている。キーの数は、携帯端末の機種により多少異なるが、一般的には、０から９までの数字、＊ 、♯、通話開始、通話終了、ＣＬＲ（クリア）、その他の特殊用途、ポインティングデバイス、ジョグダイヤル等で構成されている。
【０００３】
また、上記のキーのうち、文字入力に使われるキーは、０から９までの数字、及び＃、＊等の記号となっていることが多い。以下では、端末の正面に配置される０から９までの数字、及び＃、＊等の記号のキーをダイヤルキーという。これらのダイヤルキーを押下することで、かな、アルファベット、数字などの文字入力が可能となる。
【０００４】
一般的には、携帯電話の文字入力に使用されるダイヤルキーの位置は、携帯端末を操作するために端末を把持した時に、ユーザが目視できる向きでほぼ手の中央部におさまるようになる。
【０００５】
ここで、人間の親指の構造は、他の４本の指と向き合う配置にあり、親指だけは他の四つの指と互いに触ることができる。ところが、このような従来の携帯端末における文字入力に使用されるダイヤルキーは、前述のように手のひらの上に位置するため、親指が楽に動く範囲外にもダイヤルキーが存在する。そのため、このようなダイヤルキーを選択する場合には無理に親指を曲げてダイヤルキーを操作する必要がある。
【０００６】
特許文献１には、端末正面に配置されたダイヤルキーに加えて文字入力に利用される補助キーを少なくとも４個設けることが開示されている。補助キーの全て又はそのうちの４個が、ユーザが携帯端末を把持したときに人指し指以下、すなわち親指以外の各指上に位置するように配置される（特許文献１の図３を参照）。
【０００７】
ダイヤルキーによる文字入力に対して、補助キーを同時に操作することで、ダイヤルキーの文字入力に対し補助的な操作を加えることができる。具体的には、補助キーを操作することで、濁点入力を行ったり、英字アルファベットの大文字及び小文字間の変換を行うことができる。また、選択中の文字を「あ」から「お」の母音まで変化させる際には、５０音表の行が割り当てられたダイヤルキーを連打しなくとも、操作キーを押下することで選択中の文字を「お」の母音までジャンプさせることができる。
【先行技術文献】
【特許文献】
【０００８】
【特許文献１】特開２００６−０９９４４９号公報
【発明の概要】
【発明が解決しようとする課題】
【０００９】
しかしながら、特許文献１に開示された端末において文字入力を行うためには、「お」の母音以外の母音の文字については、依然として５０音表の行ごとに割り当てられたダイヤルキーを連打して、ダイヤルキーに割り当てられた行に含まれる複数の文字の中から所望の一つの文字を選択する必要があり、操作性が悪い。特に、親指の可動範囲外に配置されたダイヤルキーを連打する場合には、ユーザの手を煩わせることになる。
【課題を解決するための手段】
【００１０】
本発明に係る携帯端末の文字入力装置の一態様は、前記携帯端末の背面又は側面においてユーザの人指し指又は中指が当接する範囲に配置された第１入力部と、前記携帯端末の正面においてユーザの親指が当接する範囲に配置された第２入力部と、を備え、前記第１入力部及び前記第２入力部のうち一方は、複数の文字群から一つの文字群を選択する文字群の選択に用いられ、前記第１入力部及び前記第２入力部のうち他方は、前記文字群の選択によって選択された前記一つの文字群から一つの文字を選択する文字の選択に用いられる、ことを特徴とする。
【００１１】
このように、第１入力部及び第２入力部の一方に複数の文字群から一つの文字群を選択する機能を割当、他方に一つの文字群から一つの文字を選択する機能を割り当てることで、親指でダイヤルキーを連打することなく、簡単な操作によって文字入力を行うことができる。
【発明の効果】
【００１２】
本発明に係る携帯端末の一態様によれば、文字入力時における携帯端末の操作性を向上させることができる。
【図面の簡単な説明】
【００１３】
【図１】実施の形態１に係る携帯端末１００の全体構成例を示す正面図及び背面図である。
【図２】実施の形態１に係る携帯端末１００を把持した状態を示す正面図及び背面図である。
【図３】実施の形態１に係る携帯端末１００の第２入力部１２を示す図である。
【図４】実施の形態１に係る携帯端末１００の操作方法を示す図である。
【図５】実施の形態１に係る携帯端末１００の操作方法を示す図である。
【図６】実施の形態１に係る携帯端末１００の操作方法を示す図である。
【図７】実施の形態１に係る携帯端末１００の操作方法を示す図である。
【図８】実施の形態１に係る携帯端末１００の操作方法を示す図である。
【図９】実施の形態１に係る携帯端末１００の操作方法を示す図である。
【図１０】実施の形態１に係る携帯端末の変形例を示す背面図である。
【図１１】実施の形態２に係る携帯端末の操作方法を示す図である。
【発明を実施するための形態】
【００１４】
以下、図面を参照して本発明の実施の形態について説明する。
【００１５】
［実施の形態１］
図１は、本発明の実施の形態１に係る携帯端末１００の全体構成例を示す正面図及び背面図である。図２は、図１の携帯端末１００をユーザが片手で把持した状態の正面図及び背面図である。
【００１６】
以下の説明では、携帯端末１００は、上部ユニット１０１と下部ユニット１０２がヒンジ等（図示しない）によって連結されている折りたたみ式の携帯電話端末を例として説明を行うが、本実施の形態は、これに限定されるものではない。例えば、本実施の形態１に係る携帯端末は、折りたたみ機構を有しない、いわゆるストレートタイプやスライド式の携帯電話端末であってもよく、また、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）等であってもよい。
【００１７】
図１に示すように、携帯端末１００は、上部ユニット１０１と下部ユニット１０２を備えている。上部ユニット１０１の正面側には、表示部１０３が設けられている。表示部１０３には、ユーザによる携帯端末の操作に応じて文字や画像などが表示される。また、下部ユニット１０２の正面側には、０から９までの数字、＊ 、♯、通話開始、通話終了及びＣＬＲ（クリア）といった操作キー１３が配置されている。
【００１８】
本実施の形態１に係る携帯端末の文字入力装置は、携帯端末１００の背面においてユーザの人指し指が当接する範囲に配置された第１入力部１１と、携帯端末１００の正面においてユーザの親指が当接する範囲に配置された第２入力部１２を備えている。第１入力部１１は、複数の文字群から一つの文字群を選択する文字群の選択に用いられ、第２入力部１２は、文字群の選択によって選択された一つの文字群から一つの文字を選択する文字の選択に用いられる。
【００１９】
ここで、文字群とは携帯端末１００内に保存されたデータ集合であり、所定の文字の集合である。説明では、一つの文字群を、"あいうえお"、"かきくけこ"・・・といった日本語のひらがなの５０音表の一つの行とする。
【００２０】
第１入力部１１は、携帯端末１００の背面側に配置され、第２入力部１２は、携帯端末１００の正面側に配置されている。図２に示すように、第１入力部１１は、ユーザが携帯端末１００を把持したときにユーザの人指し指が触れ易い位置に設けられている。また、第２入力部１２は、ユーザが携帯端末１００を把持したときにユーザの親指が触れ易い位置に設けられている。より具体的には、第１入力部１１は、上部ユニット１０１の背面の下方に設けられている。また、第２入力部１２は、下部ユニット１０２の正面の上方に設けられている。
【００２１】
図１及び図２に示すように、第１入力部１１は、ユーザの人指し指の上下方向の操作を受け付けるよう構成されている。具体的には、第１入力部１１は、ユーザの人指し指の操作によって紙面縦方向に回転する回転体１１ａを備え、この回転体１１ａの回転方向及び回転量を検出することにより複数の文字群から一つの文字群を選択できるよう構成されている。たとえば、第１入力部１１は、ジョグダイヤルである。
【００２２】
図３は、第２入力部１２の構成例を示す図である。第２入力部１２は、紙面左右方向に長手方向を有する矩形状に形成されている。第２入力部１２は、ユーザの親指の接触位置、及び前記接触位置の変位方向及び変位量を検出することで、親指の操作を受け付け、第１入力部１１によって選択された文字群の中から一つの文字の選択を行う。第２入力部１２は、紙面左右方向に感度を持ち、縦方向には感度を持たないタッチパッドである。
【００２３】
ここで、携帯端末１００の表示部１０３の下方には、第１入力部１１によって選択された一つの文字群に含まれる文字が左右方向に一列に表示される。第２入力部１２は、この表示される文字に対応する位置に左右方向に延設されている。第２入力部１２は、表示部１０３に表示された文字に対応する位置において接触位置を検出する感度を有する。換言すれば、第２入力部１２は、第１入力部１１によって選択された文字群に含まれる、それぞれの文字に対応する領域に感応領域を有している。さらに換言すれば、表示部１０３に表示される選択可能な文字の数と同じ数の感応領域を有している。なお、この感応領域は、各領域が存在することが外から視認できてもできなくてもよい。
【００２４】
具体的に説明すると、第１入力部１１によって選択された文字群が、"あ行"であれば、表示部１０３には、"あ行"に含まれる５つの文字"あいうえお"が左右方向に表示される。第２入力部１２は、左側から、"あ"に対応する感応領域、"い"に対応する感応領域、"う"に対応する感応領域、"え"に対応する感応領域、及び"お"に対応する感応領域を有している。第２入力部１２は、ユーザの親指がどの感応領域に位置しているかを検出することで、ユーザがどの文字を選択しているかを検出することができる。
【００２５】
次に、このように構成された携帯端末１００の操作方法について具体的に説明する。図４は、本実施の形態１の第１入力部１１の操作の一例を示す図である。第１入力部１１であるジョグダイヤルをユーザが人指し指で上下方向のいずれかに操作すると、上部ユニット１０１に選択可能な複数の文字群のうち、一つの文字群が表示される。具体的に説明すると、上部ユニット１０１には、"あいうえお"、"かきくけこ"、・・・、"ばびぶべぼ"・・・という選択可能な複数の文字群の中から、一つの文字群"あいうえお"が表示される。
【００２６】
この一つの文字群が表示される部分を、文字群表示位置５０１と呼ぶ。文字群表示位置５０１には、一つの文字群に含まれる全ての文字が表示されることが好ましい。具体的には、文字群表示位置５０１に表示される行が"あ行"である場合には、文字群表示位置５０１に、あ行に含まれる全ての文字"あいうえお"が表示されていることが好ましい。
【００２７】
この状態から、ユーザがさらに第１入力部１１のジョグダイヤルを下方向に操作すると、その操作に応じて文字群表示位置５０１に表示される行が変化する。具体的には、ジョグダイヤルの下方向への操作によって、文字群表示位置５０１に表示される文字群（行）は、５０音表の下方向に移動していく。すなわち、文字群表示位置５０１には、"かきくけこ"、"さしすせそ"、"なにぬねの"の順で選択された文字群が表示されていく。
【００２８】
図５では、第１入力部１１の操作により、文字群表示位置５０１に"まみむめも"が選択された状態を示している。なお、選択された文字群の決定は、第２入力部１２の操作によって行われる。具体的には、"まみむめも"が表示された状態で、ユーザが第２入力部１２の操作を行えば、"まみむめも"の文字群の選択が決定される。
【００２９】
次に、第１入力部１１の操作により選択された文字群"まみむめも"の中から、第２入力部１２で一つの文字を選択する方法について説明する。第２入力部１２の上に、ユーザが親指を乗せると、親指の位置に応じて文字群表示位置５０１の中の一文字が強調して表示される。例えば、図６に示すように、第２入力部１２の最も左側の感応領域にユーザの親指が存在すれば、"ま"の文字が強調して表示され、図７に示すように、第２入力部１２の最も右側の感応領域にユーザの親指が存在すれば、"も"の文字が強調して表示される。
【００３０】
選択中の文字は、四角の枠で囲われ、他の文字とは異なるように強調して表示される。なお、選択されている文字の強調方法は、文字を四角で囲む方法に限られず、文字を大きくしたり、太くしたり、色を他の文字と変える等の他の方法であってもよい。
【００３１】
ここで、ユーザが、"み"の文字を入力したい場合には、図８に示すように、"み"の文字に対応する感応領域に親指を乗せる。そして、ユーザは、現在強調されて表示されている文字が、入力したい文字であることを確認した後に、図９に示すように、第２入力部１２に現在親指を乗せている感応領域をタッピングする。すると、強調して表示されていた文字"み"が表示部１０３上の本文中に表示され、入力が確定する。
【００３２】
このように、実施の形態１に係る携帯端末１００の文字入力装置においては、人指し指の操作を受け付ける第１入力部１１と、親指の操作を受け付ける第２入力部１２を備える。そして、一方の入力部で文字群の選択を行い、他方の入力部で文字の選択を行う。このように、第１入力部１１、第２入力部１２それぞれから合計２回の操作で文字群及び文字の選択を行うことができる。
【００３３】
ここで、従来の文字入力装置にあっては、複数のダイヤルキーから所望の行が割り当てられたキーを目視して選択した後、親指でそのダイヤルキーを連打していた。これに対し、本実施の形態では、操作する部分を第１入力部１１と第２入力部１２だけで構成したので、従来に比べてダイヤルキーの連打数を大幅に減らすことができると共に、ダイヤルキーに視線を移すことなくユーザは表示部１０３だけを見て文字入力をすることが可能となる。
【００３４】
具体的には、ユーザの人差し指による第１入力部１１の操作により文字群表示位置５０１に表示される文字群が指の動きと連動して変化し、更に第２入力部１２がユーザの親指の接触位置を検出し、その位置に対応した文字群表示位置５０１内の一つの文字を強調表示することで操作に対するフィードバックを視覚的に行い、文字入力時の操作性を向上させている。
【００３５】
さらに、図３に示すように、文字群表示位置５０１に、第１入力部１１によって選択された一つの文字群に含まれる文字が一方向に表示され、第２入力部１２を、文字群表示位置５０１に表示された文字数に対応する数の感度を備えることで、ユーザは、表示部１０３と操作キーを交互に見比べることなく、表示部１０３のみを見て第２入力部１２の操作を行うことができる。
【００３６】
また、第１入力部１１を、携帯端末１００の背面側に配し、第２入力部１２を、携帯端末１００の正面側に配することで、ユーザが携帯端末１００を把持した際に、容易に各入力部１１、１２を片手の人指し指及び親指で操作することができる。
【００３７】
なお、実施の形態１では、複数の文字群から一つの文字群の選択を行う操作を、ユーザの人指し指が接する第１入力部１１によって行い、第１入力部１１によって選択された文字群から一つの文字の選択を行う操作をユーザの親指が接する第２入力部１２によって行うものとして説明したが、逆であっても良い。すなわち、ユーザの親指によって操作される第２入力部１２によって文字群の選択を行い、ユーザの人指し指によって操作される第１入力部１１によって文字の選択を行うよう構成してもよい。また、必ずしも片手の人指し指と親指によって第１入力部１１及び第２入力部１２を操作する必要はなく、ユーザは両手の各指を使って任意に携帯端末１００の操作を行うことができる。
【００３８】
なお、第１入力部１１は、ジョグダイヤルの他にも、シーソースイッチ、静電パッド、ロータリースイッチ、ニューロポインタ等のポインタデバイスによって構成することができる。
【００３９】
また、第１入力部１１は、上部ユニット１０１の背面に設けられる必要はなく、図１０に示すように、下部ユニット１０２の背面側に設けてもよい。また、第１入力部１１は、上部ユニット１０１や下部ユニット１０２の側面に設けることもできる。さらに、第１入力部１１は、人指し指による操作を前提とするものではなく、例えば、中指を使って操作することを想定した場所に配置されていてもよい。
【００４０】
また、上記の説明では、第１入力部１１は、複数の文字群から一つの文字群を選択する文字群の選択に用いられ、第２入力部１２は、文字群の選択によって選択された一つの文字群から一つの文字を選択する文字の選択に用いられる構成としているが逆であっても良い。すなわち、第２入力部１２を、複数の文字群から一つの文字群を選択する文字群の選択に用い、第１入力部１１を、第２入力部１２によって選択された一つの文字群から一つの文字を選択する文字の選択に用いる構成としてもよい。
【００４１】
［実施の形態２］
次に、図１１を用いて本発明の実施の形態２に係る携帯端末について説明する。なお、全体構成例については、実施の形態１と略同一構成であるため、その説明を省略する。実施の形態１では、選択する文字群がひらがな文字の場合の例について説明したが、アルファベット、英数字、カタカナも含めた文字群を定義することも考えられる。このような場合では、全ての文字を文字群として定義すると、入力したい部分を文字群表示位置５０１に表示させるために、第１入力部１１を何回も操作しなければならない。
【００４２】
これを避けるために、実施の形態２では、文字群をいくつかのグループに分けておき、それらのうちの一つのグループを選択する。換言すれば、実施の形態１では、文字を選択するまでの選択工程が、文字群の選択、及び文字の選択と２段階に階層化されていたが、実施の形態２では、更に、文字群の上位概念であるグループの選択が追加されている。
【００４３】
図１１に示すように、入力される文字は、グループ１〜５に分かれている。グループ１は、ひらがなからなる複数の文字群によって構成されている。グループ２は、カタカナからなる複数の文字群によって構成されている。グループ３は、全角の数字や記号などの文字群によって構成されている。グループ４は、半角の数字や記号などの文字群によって構成されている。また、グループ５は、英語の文字群によって構成されている。
【００４４】
例えば、グループ１の文字群は、日本語のひらがなの５０音表の行によって構成され、グループ２の文字群は、日本語のカタカナの５０音表の行によって構成されている。また、グループ４は、５つ毎に分けられた数字や記号の全角文字であり、グループ４は、５つ毎に分けられた数字や記号の半角文字である。また、グループ５の文字群は、英字アルファベットが５つ毎に分けられたものである。
【００４５】
このようなグループの選択は、第２入力部１２のユーザの親指の移動方向を検出することで行われる。具体的には、第２入力部１２上のユーザの親指が、左側から右側に移動するに従って、選択されるグループは、グループ１、グループ２、グループ３、グループ４、グループ５、グループ１・・・と変化する。逆に、第２入力部１２上のユーザの親指が、右側から左側に移動するに従って、選択されるグループは、グループ１、グループ５、グループ４、グループ３、グループ２、グループ１・・・と変化する。
【００４６】
次に、このように構成された携帯端末の操作方法例について説明する。最初に、ユーザが人指し指で第１入力部１１を操作した場合には、グループ１が選択されている。この状態で、ユーザが第２入力部１２の上の親指を右から左へ滑らすと、グループ２が選ばれる。この操作を繰り返すと、順にグループ３、グループ４、グループ５が選ばれる。また、グループ５が選ばれている状態で、さらにこの操作を繰り返すと、グループ１が選ばれる。
【００４７】
ユーザは、入力したいグループが表示された状態で、第１入力部１１を操作し、実施の形態１と同様の操作手順で、グループの中から文字群を選択する。そして、所望の文字群が表示された状態で第２入力部１２を操作し、一つの文字を選択する。これによって所望の文字の入力が確定する。
【００４８】
このように、実施の形態２によれば、一つの文字を選択するまでの選択工程を更に階層化することで、一つの文字にたどり着くまでの操作回数を少なくすることができる。
【００４９】
なお、階層化は、グループ、文字群、及び文字の選択の３つの階層に限られず、更に階層数を増やすこともできる。このように階層数を増やした場合であっても、第１入力部１１及び第２入力部１２を交互に操作することで、一方の入力部において実行した前階層の選択を、他方の入力部の操作によって決定することができるため、第１入力部１１及び第２入力部１２を交互に操作することで、各階層における選択、決定を容易に行うことができる。
【００５０】
このように、文字や記号を複数のグループに分類した際であっても、第１入力部１１及び第２入力部１２のみの操作で、文字入力操作を行うことができる。具体的には、本実施の形態２のように、グループ、文字群及び文字の３階層によって文字や記号の分類を構成した場合であっても、最大でも３タッチで、所望の文字の選択まで辿りつくことができる。従来では、このようなグループを選択する操作ボタンがダイヤルキーの他に別途設けられていたが、本実施形態では、第１入力部１１及び第２入力部１２を交互に操作することによって、このような操作ボタンを省略すると共に、ユーザが文字を入力する際の操作を容易にすることができる。
【００５１】
また、文字群に含まれる文字や記号を、すべてのグループにおいて、５つ毎とすることで、いずれのグループに属する文字を選択する際であっても。第２入力部１２の左右方向の検出位置を５個に統一することができる。なお、統一される文字群に含まれる文字や記号の数は、５つに限定されず、任意の数とすることができる。また、全ての文字群の数を任意の数としなくても、一つの文字群に含まれる文字や記号の数を任意の数以下とすれば、検出位置を任意の数だけ設置すればよいため、同様の効果が得られる。
【００５２】
なお、実施の形態１、２において、第１入力部１１及び第２入力部１２は、文字入力のみに用いられる構成に限られない。例えば、第１入力部１１及び第２入力部１２は、携帯端末１００の他の操作を行う機能を共有するように構成することもできる。
【００５３】
なお、本発明は上記実施の形態に限られたものではなく、趣旨を逸脱しない範囲で適宜変更することが可能である。
【符号の説明】
【００５４】
１１    第１入力部
１１ａ    回転体
１２    第２入力部
１３    操作キー
１００    携帯端末
１０１    上部ユニット
１０２    下部ユニット
１０３    表示部
５０１    文字群表示位置
【図１】
2010170383.tif 000003
【図２】
2010170383.tif 000004
【図３】
2010170383.tif 000005
【図４】
2010170383.tif 000006
【図５】
2010170383.tif 000007
【図６】
2010170383.tif 000008
【図７】
2010170383.tif 000009
【図８】
2010170383.tif 000010
【図９】
2010170383.tif 000011
【図１０】
2010170383.tif 000012
【図１１】
2010170383.tif 000013